(57)【要約】【課題】  コストを抑えたまま、電池の飛び出し防止の強化が図られるとともに電池の装填および取り外しが容易な電子機器を提供する。【解決手段】  電池蓋２７が閉じられたときにその電池蓋２７に備えられた部材２７＿８の斜面部２７＿８ａからの外力を受けて、弾性部材７０の突出部７１を、電池室５０内の電池４０にさらに向かわせる方向であって、電池室５０内の電池４０が電池室５０から外れる矢印Ａ方向に動いたときに電池４０のプラス電極４１に干渉する位置に進むまで弾性変形させるとともに、電池蓋２７を開いたときには、斜面部２７＿８ａからの外力が無くなって、突出部７１がプラス電極４１との干渉を免れる位置に戻る。【選択図】        図８
2005044726.tif 000002
【特許請求の範囲】
【請求項１】
電池が装填されたときに該電池の側面を露呈する開口を有し該電池が取出し自在に装填される電池室と、該開口を開閉自在に覆う電池蓋とを備え、該電池室に装填された電池から電力の供給を受けて動作する電子機器において、
前記電池室に装填される電池が、突出したプラス電極を有する電池であって、
前記電池室に装填された電池のプラス電極よりも前記開口側に位置して該電池室内の電池に向かう方向に突出した突出部を有し、前記電池蓋が閉じられたときに該電池蓋からの外力を受けて、該突出部を、該電池室内の電池にさらに向かわせる方向であって、該電池室内の電池が該電池室から外れる方向に動いたときに該電池のプラス電極に干渉する位置に進むまで弾性変形するとともに、該電池蓋が開いたときに該電池蓋からの外力から解放されて前記突出部を前記プラス電極との干渉を免れる位置に戻す弾性部材を備えたことを特徴とする電子機器。
【請求項２】
電池が装填されたときに該電池の側面を露呈する開口を有し該電池が取出し自在に装填される電池室と、該開口を開閉自在に覆う電池蓋とを備え、該電池室に装填された電池から電力の供給を受けて動作する電子機器において、
前記電池のマイナス電極に接して該電池からの電力の供給路を形成するとともに該電池を弾性的に押圧するマイナス接片を備え、
前記電池蓋が、該電池蓋が閉じられたときに、前記電池室と、電池の、前記マイナス接片に押圧されたマイナス電極側との間であって、前記開口側の部分に嵌入するリブを備えたものであることを特徴とする電子機器。
【発明の詳細な説明】
【技術分野】
【０００１】
本発明は、電池室に装填された電池から電力の供給を受けて動作する電子機器に関する。
【背景技術】
【０００２】
電池室に装填された電池から電力の供給を受けて動作する電子機器の１つにカメラがある。このようなカメラにおいて、電池が装填されたときにその電池の側面を露呈する開口を有しその電池が取出し自在に装填される電池室と、その開口を開閉自在に覆う電池蓋とを備えたカメラが知られている。このようなカメラを誤って落とした場合、落とした衝撃により電池が電池蓋の内壁に衝突して電池蓋が開き、その電池室から電池が飛び出してしまう場合がある。すると、例えば、予め設定された日付が初期状態に戻ってしまうというような問題が発生する。
【０００３】
そこで、電池室の長手方向側縁部に、電池の周面に当接してその電池を挟持する接触片を設けた技術が提案されている（特許文献１参照）。
【０００４】
また、電池蓋の内面に、電池飛び出し防止用のリブおよび電池の外周面と略等しい曲率を有する電池受け部を形成する技術も提案されている（特許文献２参照）。
【０００５】
さらに、電池室の、電池蓋が開く方向であって且つ電池のプラス電極に対応する部分に、リブを設けた技術も提案されている（特許文献３参照）。
【特許文献１】特開２０００−１９５９３号公報
【特許文献２】特開２０００−３５３５０６号公報
【特許文献３】特開２００２−３６５７０７号公報
【発明の開示】
【発明が解決しようとする課題】
【０００６】
しかし、特許文献１に提案された技術は、電池室の長手方向側縁部に、電池の飛び出し防止用の部材である接触片を設けるものであるため、コストがアップするという問題がある。また、電池の飛び出し防止を確実に行なうために上記接触片の挟持力を大きくすると、電池の装填や取り出しが行ないにくいという問題が発生する。
【０００７】
また、特許文献２に提案された技術では、電池蓋の内面の、電池の外周面と略等しい曲率を有する電池受け部は、電池の飛び出し方向に形成される。このため、電池の飛び出し防止の強化に欠ける点がある。
【０００８】
さらに、特許文献３に提案された技術では、電池室に設けられたリブは、電池蓋が開く方向に位置するものであるため、電池の装填や取り出しに制限が加えられることとなり、従って電池の装填や取り出しが行ないにくいという問題がある。
【０００９】
本発明は、上記事情に鑑み、コストを抑えたまま、電池の飛び出し防止の強化が図られるとともに電池の装填および取り外しが容易な電子機器を提供することを目的とする。
【課題を解決するための手段】
【００１０】
上記目的を達成する本発明の電子機器のうちの第１の電子機器は、電池が装填されたときにその電池の側面を露呈する開口を有しその電池が取出し自在に装填される電池室と、その開口を開閉自在に覆う電池蓋とを備え、その電池室に装填された電池から電力の供給を受けて動作する電子機器において、
上記電池室に装填される電池が、突出したプラス電極を有する電池であって、
上記電池室に装填された電池のプラス電極よりも上記開口側に位置してその電池室内の電池に向かう方向に突出した突出部を有し、上記電池蓋が閉じられたときにその電池蓋からの外力を受けて、その突出部を、その電池室内の電池にさらに向かわせる方向であって、その電池室内の電池がその電池室から外れる方向に動いたときにその電池のプラス電極に干渉する位置に進むまで弾性変形するとともに、その電池蓋が開いたときにその電池蓋からの外力から解放されて上記突出部を上記プラス電極との干渉を免れる位置に戻す弾性部材を備えたことを特徴とする。
【００１１】
本発明の第１の電子機器は、落下等の衝撃により電池室内の電池がその電池室から外れる方向に動いた場合、弾性部材が有する、電池のプラス電極に干渉する位置に進むまで弾性変形した突出部に、電池のプラス電極が当接する。このため、電池室からの電池の飛び出し防止が図られる。また、電池蓋が開いたときには、上記突出部は上記プラス電極との干渉を免れる位置に戻るため、電池の装填および取り外しは容易である。ここで、上記突出部を有する弾性部材は、例えば給送系のギアを載置するための給送地板を延在して形成すれば済み、従ってコストを抑えたまま、電池の飛び出し防止の強化が図られるとともに電池の装填および取り外しが容易な電子機器を提供することができる。
【００１２】
また、上記目的を達成する本発明の電子機器のうちの第２の電子機器は、電池が装填されたときにその電池の側面を露呈する開口を有しその電池が取出し自在に装填される電池室と、その開口を開閉自在に覆う電池蓋とを備え、その電池室に装填された電池から電力の供給を受けて動作する電子機器において、
上記電池のマイナス電極に接してその電池からの電力の供給路を形成するとともにその電池を弾性的に押圧するマイナス接片を備え、
上記電池蓋が、その電池蓋が閉じられたときに、上記電池室と、電池の、上記マイナス接片に押圧されたマイナス電極側との間であって、上記開口側の部分に嵌入するリブを備えたものであることを特徴とする。
【００１３】
本発明の第２の電子機器は、電池蓋が閉じられたときに、電池室と、電池のマイナス電極側との間であって、電池室の開口側の部分に電池蓋のリブが嵌入されているため、落下等の衝撃により電池室内の電池がその電池室から外れる方向に動くことが禁止された状態にある。従って、電池室からの電池の飛び出し防止が図られる。また、電池蓋が開いたときには、上記リブは電池蓋とともに上記マイナス電極との干渉を免れる位置に移動するため、電池の装填および取り外しは容易である。ここで、上記リブは電池蓋に形成すれば済み、従ってコストを抑えたまま、電池の飛び出し防止の強化が図られるとともに電池の装填および取り外しが容易な電子機器を提供することができる。
【発明の効果】
【００１４】
以上説明したように、本発明によれば、コストを抑えたまま、電池の飛び出し防止の強化が図られるとともに電池の装填および取り外しが容易な電子機器を提供することができる。
【発明を実施するための最良の形態】
【００１５】
以下、本発明の実施形態について説明する。
【００１６】
図１は、本発明の第１の電子機器の一実施形態としてのカメラを前面斜め上から見た外観斜視図である。
【００１７】
図１に示すカメラ１は、ロール状の写真フイルムに写真撮影を行なうカメラであり、このカメラ１の前面中央部には、光学ズームレンズ１１ａを内部に備えたズーム鏡胴１１が備えられている。
【００１８】
また、このカメラ１の前面上部には、リモコン受信部を構成するリモコン受信窓１２と、オートフォーカス（ＡＦ）測距部を構成する受光素子が内蔵されたＡＦ窓１３が備えられている。
【００１９】
さらに、このカメラ１の前面上部には、セルフタイマ撮影時もしくはリモコン操作時に光を発するセルフタイマ／リモコンランプ１４と、ファインダ対物窓１５と、内蔵された露出調整用のＡＥセンサに光を導くためのＡＥ受光窓１６と、撮影に同期してフラッシュ（閃光）を発するフラッシュ発光部１７とが備えられている。フラッシュ発光部１７は、ズーム鏡胴１１に備えられた光学ズームレンズ１１ａの焦点距離に応じるとともに、撮影距離にも応じて、フラッシュ発光光の被写体への照射角度が変更される構造を有する。
【００２０】
また、このカメラ１の上面には、シャッタボタン１８が備えられており、このカメラ１のシャッタボタン１８により操作されるシャッタには、撮影時に開口径が時間経過に従って広がるプログラムシャッタが採用されている。
【００２１】
図２は、図１のカメラを背面から見た外観斜視図である。
【００２２】
このカメラ１の背面には、裏蓋２０と、視度調節ダイヤル２１と、ファインダ接眼窓２２と、ピント合わせが完了した時に光を発するＡＦランプ２３と、電源ボタン２４とが備えられている。
【００２３】
裏蓋２０には、光学ズームレンズ１１ａをテレ側（遠距離側）あるいはワイド側（近距離側）に動作させるズームボタン２５と、フイルム確認窓２６と、電池蓋２７とが備えられている。
【００２４】
また、裏蓋２０には、液晶モニタ部２８が備えられている。この液晶モニタ部２８は、オートフラッシュや赤目軽減フラッシュ等のフラッシュモードを表示するためのフラッシュモード表示部２８ａと、セルフタイマの有無やリモコンの有無等を表示するためのセルフタイマモード表示部２８ｂと、オートフォーカス等のフォーカスモードを表示するためのフォーカスモード表示部２８ｃと、年・月・日・時・分等を表示するための日付モード表示部２８ｄと、電池の残存容量を表示するための電池残存表示部２８ｅと、撮影枚数を表示するための撮影枚数表示部２８ｆとを有する。
【００２５】
さらに、裏蓋２０には、各種のメニューやモードの選択を行なうための十字ボタン２９と、各種のメニューを表示したり十字ボタン２９で選択されたメニューやモードを決定するためのメニュー／決定ボタン３０も備えられている。
【００２６】
図３は、図１のカメラを電池蓋側から見た外観側面図である。
【００２７】
図３には、電池蓋２７と、その電池蓋２７で覆われた電池４０が透視して示されている。この電池４０は、突出したプラス電極４１およびマイナス電極４２を有し、電池室５０に取り出し自在に装填される。電池室５０には、それらプラス電極４１およびマイナス電極４２に接してその電池４０からの電力の経路を形成するプラス接片５１およびマイナス接片５２が備えられている。また、電池蓋２７は、カメラ本体に取り付けられたヒンジ軸６１に開閉自在に軸支されている。
【００２８】
図４は、図１のカメラを底面側から見た外観底面図である。
【００２９】
図４には、前述した電池蓋２７およびヒンジ軸６１と、このカメラ１を三脚に固定するための三脚ネジ６２と、電池蓋開閉部６３とが示されている。電池蓋開閉部６３を操作することにより、電池蓋２７を、ヒンジ軸６１を中心に矢印Ａ方向に開放することができる。
【００３０】
図５は、図１に示すカメラの、上面側の一部を切り欠いて示す図である。
【００３１】
図５には、シャッタボタン１８と、そのシャッタボタン１８の斜め下部に装填された電池４０と、矢印Ａ方向に開放される電池蓋２７と、その電池蓋２７が軸支されるとともにカメラ本体１ａに取り付けられたヒンジ軸６１とが示されている。
【００３２】
図６は、図１に示すカメラの、電池蓋が開放された状態を示す図、図７は、図１に示すカメラに備えられた電池蓋の斜視図である。
【００３３】
図６に示すように、電池室５０は、電池４０が装填されたときに電池４０の側面を露呈する開口５０ａを有し、電池４０が取出し自在に装填される電池室である。電池蓋２７は、この開口５０ａを開閉自在に覆う部材であり、この電池蓋２７には、カメラ本体１ａに係止するための係止部２７＿１，２７＿２と、電池４０を保持するための当接部２７＿３，２７＿４が備えられている。さらに、この電池蓋２７には、図７に示すように、ヒンジ軸６１に回動自在に軸支するための回動部２７＿５，２７＿６と、その電池蓋２７の底面内部に形成された斜面部２７＿８ａを有する部材２７＿８が備えられている。
【００３４】
図８は、図１に示すカメラの、電池が装填されて電池蓋が閉じられた状態における断面図である。
【００３５】
図８には、突出部７１を有する弾性部材７０が示されている。この弾性部材７０は、カメラ本体１ａ側の給送系のギアが載置された給送地板が延在されて形成されてなる部材である。弾性部材７０が有する突出部７１は、電池室５０に装填された電池４０のプラス電極４１よりも開口５０ａ側に位置して電池室５０内の電池４０に向かう方向に突出している。この弾性部材７０は、図８に示すように、電池蓋２７が閉じられたときにその電池蓋２７に備えられた部材２７＿８の斜面部２７＿８ａからの外力を受けて、突出部７１を、電池室５０内の電池４０にさらに向かわせる方向であって、電池室５０内の電池４０が電池室５０から外れる方向（矢印Ａ方向）に動いたときに電池４０のプラス電極４１に干渉する位置に進むまで弾性変形している。このため、カメラ１を誤って落として、落下の衝撃により電池室５０内の電池４０がその電池室５０から外れる矢印Ａ方向に動いた場合、弾性部材７０が有する、電池４０のプラス電極４１に干渉する位置に進むまで弾性変形した突出部７１に、電池４０のプラス電極４１が当接する。このため、電池室５０からの電池４０の飛び出し防止が図られる。また、電池４０の交換等が発生して電池蓋２７を開いたときには、斜面部２７＿８ａからの外力が無くなり、突出部７１はプラス電極４１との干渉を免れる位置に戻るため、電池４０の装填および取り外しは容易である。ここで、突出部７１を有する弾性部材７０は、給送系のギアを載置するための給送地板を延在して形成すれば済み、従ってコストを抑えたまま、電池４０の飛び出し防止の強化が図られるとともに電池４０の装填および取り外しも容易である。
【００３６】
次に、本発明の第２の電子機器の一実施形態としてのカメラについて説明する。尚、このカメラの外観斜視図は、上述した本発明の第１の電子機器の一実施形態であるカメラ１の外観斜視図と同様であるため図示省略する。
【００３７】
図９は、本発明の第２の電子機器の一実施形態としてのカメラに備えられた電池蓋の斜視図、図１０は、本発明の第２の電子機器の一実施形態としてのカメラの、電池が装填されて図９に示す電池蓋が閉じられた状態における断面図である。
である。
【００３８】
尚、前述したカメラ１の構成要素と同じ構成要素には同一の符号を付して説明する。
【００３９】
図９に示す電池蓋８０には、図１０に示すカメラ本体２ａに係止するための係止部２７＿１，２７＿２と、電池４０を保持するための当接部２７＿３，２７＿４が備えられている。また、この電池蓋８０には、図１０に示すヒンジ軸６１に回動自在に軸支するための回動部２７＿５，２７＿６と、その電池蓋８０の上面内部に形成されたリブ８１が備えられている。
【００４０】
このリブ８１は、図１０に示すように、電池蓋８０が閉じられたときに、電池室５０と、電池４０の、マイナス接片５２に押圧されたマイナス電極４２側との間であって、開口５０ａ側の部分に嵌入する部材である。
【００４１】
このように、このカメラ２は、電池蓋８０が閉じられたときに、電池室５０と、電池４０のマイナス電極４１側との間であって、電池室５０の開口５０ａ側の部分に電池蓋８０のリブ８１が嵌入されているため、落下等の衝撃により電池室５０内の電池４０がその電池室５０から外れる方向（矢印Ａ方向）に動くことが禁止された状態にある。従って、電池室５０からの電池４０の飛び出し防止が図られる。また、電池蓋８０が開いたときには、リブ８１は電池蓋８０とともにマイナス電極４２との干渉を免れる位置に移動するため、電池４０の装填および取り外しは容易である。ここで、リブ８１は電池蓋８０に形成すれば済み、従ってコストを抑えたまま、電池４０の飛び出し防止の強化が図られるとともに電池４０の装填および取り外しも容易である。
【００４２】
尚、上述した２つの本実施形態では、いずれも、ロール状の写真フイルム上に写真撮影を行なう通常のカメラの例で説明したが、固体撮像素子上に被写体の像を結像して画像を信号として取り込むデジタルカメラであってもよく、さらに、このようなカメラに限られるものでもなく、本発明は、電池が装填されたときにその電池の側面を露呈する開口を有しその電池が取出し自在に装填される電池室と、その開口を開閉自在に覆う電池蓋とを備え、その電池室に装填された電池から電力の供給を受けて動作する電子機器であればよい。
【図面の簡単な説明】
【００４３】
【図１】本発明の第１の電子機器の一実施形態としてのカメラを前面斜め上から見た外観斜視図である。
【図２】図１のカメラを背面から見た外観斜視図である。
【図３】図１のカメラを電池蓋側から見た外観側面図である。
【図４】図１のカメラを底面側から見た外観底面図である。
【図５】図１に示すカメラの、上面側の一部を切り欠いて示す図である。
【図６】図１に示すカメラの、電池蓋が開放された状態を示す図である。
【図７】図１に示すカメラに備えられた電池蓋の斜視図である。
【図８】図１に示すカメラの、電池が装填されて電池蓋が閉じられた状態における断面図である。
【図９】本発明の第２の電子機器の一実施形態としてのカメラに備えられた電池蓋の斜視図である。
【図１０】本発明の第２の電子機器の一実施形態としてのカメラの、電池が装填されて図９に示す電池蓋が閉じられた状態における断面図である。
【符号の説明】
【００４４】
１，２  カメラ
１ａ，２ａ  カメラ本体
１１  ズーム鏡胴
１１ａ  光学ズームレンズ
１２  リモコン受信窓
１３  ＡＦ窓
１４  セルフタイマ／リモコンランプ
１５  ファインダ対物窓
１６  ＡＥ受光窓
１７  フラッシュ発光部
１８  シャッタボタン
２０  裏蓋
２１  視度調節ダイヤル
２２  ファインダ接眼窓
２３  ＡＦランプ
２４  電源ボタン
２５  ズームボタン
２６  フイルム確認窓
２７，８０  電池蓋
２７＿１，２７＿２  係止部
２７＿３，２７＿４  当接部
２７＿５，２７＿６  回動部
２７＿８  部材
２７＿８ａ  斜面部
２８  液晶モニタ部
２８ａ  フラッシュモード表示部
２８ｂ  セルフタイマモード表示部
２８ｃ  フォーカスモード表示部
２８ｄ  日付モード表示部
２８ｅ  電池残存表示部
２８ｆ  撮影枚数表示部
２９  十字ボタン
３０  メニュー／決定ボタン
４０  電池
４１  プラス電極
４２  マイナス電極
５０  電池室
５０ａ  開口
５１  プラス接片
５２  マイナス接片
６１  ヒンジ軸
６２  三脚ネジ
６３  電池蓋開閉部
７０  弾性部材
７１  突出部
８１  リブ
【図１】
2005044726.tif 000003
【図２】
2005044726.tif 000004
【図３】
2005044726.tif 000005
【図４】
2005044726.tif 000006
【図５】
2005044726.tif 000007
【図６】
2005044726.tif 000008
【図７】
2005044726.tif 000009
【図８】
2005044726.tif 000010
【図９】
2005044726.tif 000011
【図１０】
2005044726.tif 000012